(57)【要約】【課題】  電子ズーム操作をして動画を撮影する場合にも、電子ズーム画角の動画を記録すると同時に、画像劣化のない全画面画角の動画を記録する。【解決手段】  画像情報を生成する撮像手段１０２と、画像情報を全画面画角で処理する画像処理手段１１３と、画像情報を電子ズーム画角で処理する変倍処理手段１２３と、処理された画像情報を動画として記録する記録手段１２９と、画像処理手段により処理された全画面画角の画像情報と、変倍処理手段により処理された電子ズーム画角の画像情報を、記録手段に記録させる制御手段１１１，１２１とを有する。【選択図】  図１
2012124624.tif 000002
【特許請求の範囲】
【請求項１】
画像情報を生成する撮像手段と、
前記画像情報を全画面画角で処理する画像処理手段と、
前記画像情報を電子ズーム画角で処理する変倍処理手段と、
処理された画像情報を動画として記録する記録手段と、
前記画像処理手段により処理された全画面画角の画像情報と、前記変倍処理手段により処理された電子ズーム画角の画像情報を、前記記録手段に記録させる制御手段とを有することを特徴とする撮像装置。
【請求項２】
前記変倍処理手段で処理する電子ズーム倍率は、ユーザーの設定した電子ズーム倍率であり、動画記録中は任意に変更可能であることを特徴とする請求項１に記載の撮像装置。
【請求項３】
画像情報を生成する撮像手段と、
前記画像情報を全画面画角で処理すると共に、前記画像情報を電子ズーム画角で処理する第１の変倍処理手段と、
前記画像情報を電子ズーム画角で処理する第２の変倍処理手段と、
処理された画像情報を動画として記録する記録手段と、
前記撮像手段の読み出しフレームレートが、前記記録手段に記録される動画のフレームレートより高速である場合に、前記第１の変倍処理手段により処理された全画面画角の画像情報と、前記第１の変倍処理手段により処理された電子ズーム画角の画像情報と、前記第２の変倍処理手段により処理された電子ズーム画角の画像情報を、前記記録手段に記録させる制御手段とを有することを特徴とする撮像装置。
【請求項４】
第１の変倍処理手段で処理する電子ズーム倍率と第２の変倍処理手段で処理する電子ズーム倍率の一方は、ユーザーの設定した電子ズーム倍率であり、動画記録中は任意に変更可能であることを特徴とする請求項３に記載の撮像装置。
【請求項５】
第１の変倍処理手段で処理する電子ズーム倍率と第２の変倍処理手段で処理する電子ズーム倍率の一方は、予め定められた電子ズーム倍率であり、動画記録中は変更不可能であることを特徴とする請求項３に記載の撮像装置。
【発明の詳細な説明】
【技術分野】
【０００１】
本発明は、電子ズーム機能を有する撮像装置に関するものである。
【背景技術】
【０００２】
デジタルカメラやデジタルビデオカメラなどの撮像装置は、一般に、撮像素子における撮像領域から所望の範囲の信号のみを取り出すことで画像を拡大する電子ズームの機能を有する。
【０００３】
しかしながら、一般に電子ズームの場合、撮像素子の一部の画素範囲で撮像した画像を拡大するために画質が劣化する。
【０００４】
そのため撮像素子の全有効画素から得られた全画素範囲の画像データを記録媒体に記録するとともに、電子ズームにより拡大表示する画像の画素範囲（ズーム範囲）をズーミング情報として記録媒体に記録するようにした技術が特開２００５−１２４２３号公報（特許文献１）に開示されている。
【先行技術文献】
【特許文献】
【０００５】
【特許文献１】特開２００５−１２４２３号公報
【発明の概要】
【発明が解決しようとする課題】
【０００６】
しかし、上記従来技術では、ユーザーの所望の画角で記録できないという問題がある。即ち、電子ズームで撮影した場合、記録される画像データは実際には全画素範囲の画像データであり、他の機器で再生する場合には電子ズームされた画像データとして再生できないという問題がある。
【０００７】
（発明の目的）
本発明の目的は、電子ズーム操作をして動画を撮影する場合にも、電子ズーム画角の動画を記録すると同時に、画像劣化のない全画面画角の動画を記録することができる撮像装置を提供することである。
【課題を解決するための手段】
【０００８】
上記目的を達成するために、本発明の撮像装置は、画像情報を生成する撮像手段と、前記画像情報を全画面画角で処理する画像処理手段と、前記画像情報を電子ズーム画角で処理する変倍処理手段と、処理された画像情報を動画として記録する記録手段と、前記画像処理手段により処理された全画面画角の画像情報と、前記変倍処理手段により処理された電子ズーム画角の画像情報を、前記記録手段に記録させる制御手段とを有することを特徴とするものである。
【発明の効果】
【０００９】
本発明によれば、電子ズーム操作をして動画を撮影する場合にも、電子ズーム画角の動画を記録すると同時に、画像劣化のない全画面画角の動画を記録することができる。
【図面の簡単な説明】
【００１０】
【図１】本発明の実施例１である撮像装置の構成を示す図である。
【図２】実施例１における動画記録のタイミングチャートである。
【図３】実施例１における動画記録される画角の一例を示す図である。
【図４】実施例１における動画記録モードの動作内容を示す図である。
【図５】実施例２である撮像装置の構成を示す図である。
【図６】実施例２における動画記録モードの動作内容を示す図である。
【図７】実施例２における動画記録のタイミングチャートである。
【図８】実施例２における動画記録される画角の一例を示す図である。
【発明を実施するための形態】
【００１１】
本発明を実施するための形態は、以下の実施例１および２に記載される通りである。
【実施例１】
【００１２】
以下、図１を参照して、本発明の実施例１である撮像装置について説明する。
【００１３】
撮像装置１００は、フレームごとに倍率を更新可能な電子ズームの機能を備える撮像装置である。撮像装置１００は、光学ユニット１０１と、エリアセンサ１０２と、タイミングジェネレータ（ＴＧ）１０３と、Ａ／Ｄ変換部１０４と、マスター部１１０と、スレーブ部１２０とを有する。
【００１４】
マスター部１１０は、マスター制御部１１１と、マスターメモリ１１２と、マスター画像処理部１１３と、マスター圧縮処理部１１４とを有する。
【００１５】
スレーブ部１２０は、スレーブ制御部１２１と、スレーブメモリ１２２と、スレーブ変倍処理部１２３と、スレーブ圧縮処理部１２４と、操作部１２５と、表示回路１２６と、表示部１２７と、記録回路１２８と、記録媒体１２９とを有する。また、マスター部１１０とスレーブ部１２０は、制御部間通信バス１４０で接続されていて、マスターメモリ１１２と、スレーブメモリ１２２に格納されているデータは、制御部間通信バス１４０を介して相互にやりとりすることが可能になっている。
【００１６】
光学ユニット１０１は、撮像レンズや撮像光学系などを含み、被写体からの光をエリアセンサ１０２上に結像する。換言すれば、光学ユニット１０１は、エリアセンサ１０２上に被写体の光学像を形成する。
【００１７】
エリアセンサ１０２は、撮像手段に相当するものであり、光学ユニット１０１によって形成された被写体の光学像に基づいて画像データ（画像信号）を生成する。エリアセンサ１０２は、本実施例１では、入力した光信号を電気信号に変換して蓄積する複数の画素（画像アレー）を有し、かかる複数の画素（画素アレー）に蓄積されている電気信号を読み出して画像データを生成する。エリアセンサ１０２は、例えば、ＣＣＤ（Ｃｈａｒｇｅ  Ｃｏｕｐｌｅｄ  Ｄｅｖｉｃｅ）又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの固体撮像素子で構成されている。エリアセンサ１０２は、ＴＧ１０３から供給されるクロック信号によって駆動され、エリアセンサ１０２からの画像信号がＡ／Ｄ変換部１０４に出力される。
【００１８】
Ａ／Ｄ変換部１０４は、ＴＧ１０３から供給されるクロック信号に応じて、エリアセンサ１０２から出力された画像信号をアナログ信号からデジタル信号に変換する。
【００１９】
マスターメモリ１１２およびスレーブメモリ１２２は、Ａ／Ｄ変換部１０４によってデジタル信号に変換された画像信号（画像情報）を、フレームごとに一時的に保持する。
【００２０】
マスター画像処理部１１３は、マスターメモリ１１２から読み出される画像信号に対して、色処理、ホワイトバランス、ガンマ補正などの処理を施して、ＹＣｒＣｂの輝度と色差信号に変換する。また、マスター画像処理部１１３は、全画面画角の画像処理を施し、「マスター側記録画像」としてマスターメモリ１１２に書き込む。
【００２１】
マスター圧縮処理部１１４は、マスター画像処理部１１３によって処理された画像信号をマスターメモリ１１２から読み出して、圧縮などの処理を施すと共に、所定のフォーマットに変換して、「マスター側圧縮画像」を動画としてマスターメモリ１１２に書き込む。その後、所定のタイミングで「マスター側圧縮画像」は、制御部間通信バス１４０を介して、スレーブメモリ１２２に転送される。
【００２２】
スレーブ変倍処理部１２３は、スレーブメモリ１２２から読み出される画像信号に対して、色処理、ホワイトバランス、ガンマ補正などの処理を施して、ＹＣｒＣｂの輝度と色差信号に変換する。また、スレーブ変倍処理部１２３は、電子ズームの倍率に応じて、記録媒体１２９に記録される画像サイズや表示部１２７に表示される画像サイズに合わせた変倍処理を施し、「スレーブ側記録画像」と「表示画像」をスレーブメモリ１２２に書き込む。
【００２３】
スレーブ圧縮処理部１２４は、スレーブ変倍処理部１２３によって処理された記録用の画像信号をスレーブメモリ１２２から読み出して、圧縮などの処理を施すと共に、所定のフォーマットに変換して、「スレーブ側圧縮画像」をスレーブメモリ１２２に書き込む。
【００２４】
記録回路１２８は、スレーブメモリ１２２に格納されている、「マスター側圧縮画像」と「スレーブ側圧縮画像」をそれぞれ、着脱可能な記録媒体１２９に出力する。
【００２５】
記録媒体１２９は、撮像装置１００に着脱可能に構成され、記録回路１２８から出力される画像データを記録する。記録媒体１２９は、例えば、ＣＤ−Ｒ、ＤＶＤ−Ｒ、不揮発性のメモリカードなどを使用する。
【００２６】
表示回路１２６は、スレーブ変倍処理部１２４で生成された「表示画像」に対してスーパーインポーズ等の処理を施すと共に、例えば、ＮＴＳＣ方式のアナログ信号に変換して、表示部１２７に出力する。
【００２７】
表示部１２７は、表示回路１２６から出力される画像データの画像や文字などを表示する。表示部１２７は、例えば、ＬＣＤ（Ｌｉｑｕｉｄ    Ｃｒｙｓｔａｌ    Ｄｉｓｐｌａｙ）などを使用する。
【００２８】
操作部１２５は、ユーザーからの指示を受け付ける。ユーザーは、操作部１２５を操作することで、例えば、被写体の撮像、電子ズームの倍率の更新（変更）、ズーミングの方向、動画記録の開始又は終了、表示部１２７のオン又はオフ、撮像装置１００の電源のオン又はオフなどを指示することができる。ユーザーの設定した電子ズーム倍率は、動画記録中は任意に変更可能である。
【００２９】
操作部１２５により表示部１２７をオンすることで、表示部１２７に設定項目を表示させ、操作部１２５により項目選択することができる。例えば、電子ズーム利用の選択、動画記録モードの選択などが可能である。
【００３０】
マスター制御部１１１と、スレーブ制御部１２１は、撮像装置１００の全体（動作）を制御し、本実施例１では、特に、電子ズームと動画記録に関連する動作を制御する。
【００３１】
スレーブ制御部１２１は、操作部１２５の操作状態を監視し、ユーザーによる操作が検出された場合は、操作状態をマスター制御部１１１へ通知する。例えば、スレーブ制御部１２１は、操作部１２５の操作状態を監視し、電子ズームの操作を検出した場合は、電子ズームの倍率に応じて、スレーブメモリ１２２に保持された画像データのトリミング領域、スレーブ変倍処理部１２３における変倍処理の変倍率などを制御し、「表示画像」を生成する。併せて電子ズームの操作状態をマスター制御部１１１へ通知する。
【００３２】
また、スレーブ制御部１２１は、操作部１２５の操作状態を監視し、動画記録の開始を検出した場合は、スレーブ圧縮処理部１２４で「スレーブ側圧縮画像」を生成する。併せて動画記録の開始をマスター制御部１１１へ通知する。あるいは、スレーブ制御部１２１は、操作部１２５の操作状態を監視し、動画記録モードの変更を検出した場合は、マスター制御部１１１へこれを通知する。マスター制御部１１１は、スレーブ制御部１２１から通知される各種操作情報に応じて処理を行う。例えば、マスター制御部１１１は、スレーブ制御部１２１から動画記録モードの変更が通知されたときは、動画記録モードに応じて、エリアセンサ１０４の読み出しモードの切り替えやフレームレートの切り替えを行う。
【００３３】
また、マスター制御部１１１は、スレーブ制御部１２１から動画記録の開始が通知されたときは、その時にフレームレートに応じて、マスターメモリ１１２に画像データを取り込み、マスター画像処理部１１３における画像処理などを制御し、「マスター側記録画像」を生成する。その後、マスター圧縮処理部１１４で「マスター側圧縮画像」を生成する。
【００３４】
また、マスター制御部１１１は、所定のタイミングでマスターメモリ１１２に格納されている「マスター側圧縮画像」を読み出して、制御部間通信バス１４０を介して、スレーブメモリ１２２に転送する。
【００３５】
図２は、本実施例１での動画記録中に電子ズームが操作された場合の、マスター部１１０、スレーブ部１２０で生成される動画像データについて説明したタイミングチャートである。
【００３６】
図２において、ＶＤは垂直同期信号を示している。「露光番号」は、各垂直同期タイミングで各フレームが露光される順番を示す番号である。
【００３７】
「読み出し」で示される斜め実線は、各ラインで読み出し走査が完了するタイミングを示している。「リセット」で示される斜め破線は、各ラインでエリアセンサ１０２の複数の画素（画素アレー）のリセット走査が完了するタイミングを示している。リセット走査のタイミングを示す斜め破線から読み出し走査のタイミングを示す斜め実線までの時間が各ラインにおける露光時間となる。
【００３８】
「メモリ更新」における下矢印は、マスターメモリ１１２、スレーブメモリ１２２への画像データの保持（書き込み）が完了するタイミングを示している。
【００３９】
書き込みが完了した画像データは、順次、マスター画像処理部１１３、スレーブ変倍処理部１２３で処理されて記録画像と表示画像が生成される。なお、表示部１２７はスレーブ部１２１にしか接続されていないため、マスター部１１０では表示画像は生成されない。
【００４０】
実線矩形の中央の数字は、対応する露光番号を示していて、番号前の「Ｍ」はマスター部、「Ｓ」はスレーブ部を表している。また、数字の後の「−Ｄ」は表示画像、「−Ｒ」は記録画像であることを示している。
【００４１】
さて、露光番号２のタイミングで動画記録が開始されると、露光番号３で露光された画像データから動画記録されることになる（図３（Ａ））。
【００４２】
マスター部１１０は、露光番号３で露光された画像データＭ３からマスターメモリ１１２への取り込みを開始し、マスター画像処理部１１３にて画像処理を行い、「全画面画角」の「マスター側記録画像  Ｍ３−Ｒ」をマスターメモリ１１２へ書き込む（図３（Ｂ））。
【００４３】
スレーブ部１２０は、露光番号３で露光された画像データＳ３を、スレーブ変倍処理部１２３にて画像処理を行い、「全画面画角」の「スレーブ表示画像  Ｓ３−Ｄ」と「スレーブ側記録画像  Ｓ３−Ｒ」をスレーブメモリ１２２へ書き込む（図３（Ｃ）と図３（Ｄ））。
【００４４】
次に、露光番号４のタイミングで電子ズーム操作が行われると、露光番号４で露光された画像データから電子ズームを適用することになる。
【００４５】
スレーブ部１２０は、露光番号４で露光された画像データＳ４を、スレーブ変倍処理部１２３にて画像処理を行った後、指定された電子ズームの倍率に応じた変倍処理を行い、「電子ズーム画角」の「スレーブ表示画像  Ｓ４−Ｄ」と「スレーブ側記録画像  Ｓ４−Ｒ」をスレーブメモリ１２２へ書き込む。その後も、電子ズーム中は指定された電子ズームの倍率に応じて変倍処理を行う。
【００４６】
図２の斜線で示された矩形（Ｓ４−Ｄ〜Ｓ６−Ｄと、Ｓ４−Ｒ〜Ｓ６−Ｒ）が、「電子ズーム画角」のフレームを表している（図３（Ｅ）と図３（Ｆ））。
【００４７】
一方、マスター部１１０は、マスター画像処理部１１３で電子ズームの倍率に応じた変倍処理は行わないで、Ｍ３以前の画像と同様に画像処理だけを行い、「全画面画角」の「マスター側記録画像  Ｍ４−Ｒ」をマスターメモリ１１２へ書き込む（図３（Ｂ））。
【００４８】
その後、「マスター側記録画像」、「スレーブ側記録画像」ともに、それぞれ圧縮処理部１１４，１２４で「マスター側圧縮画像」、「スレーブ側圧縮画像」に処理される。「マスター側圧縮画像」は、マスター制御部１１１により、所定のタイミングで読み出され、制御部間通信バス１４０を介して、スレーブメモリ１２２に転送される。
【００４９】
スレーブ制御部１２１は、「マスター側圧縮画像」、「スレーブ側圧縮画像」のそれぞれを、記録回路１２８を介して、記録媒体１２９へ書き込む。本実施例１によれば、電子ズームを用いて動画記録を行った場合でも、同時に電子ズームを施さない「全画面画角」の動画も記録するので、ズーム画角外のシーンも記録することが可能になる。
【００５０】
図４は、本実施例１での撮像装置１００における、動画記録モードの動作内容を表した図である。本実施例１ではエリアセンサ１０２から、６０ｆｐｓのフレームレートで画像データを読み出し、動画記録モードでは記録する動画のフレームレートは読み出しフレームレートと同じ「１９２０×１０８０  ６０ｆｐｓ」となる。記録される画角としては全画面画角とユーザーの設定した電子ズーム倍率の電子ズーム画角となる。
【実施例２】
【００５１】
以下、図５および図６を参照して、本発明の実施例２である撮像装置について説明する。
【００５２】
実施例１では、「全画面画角」と「電子ズーム画角」の２種類の動画を同時に記録するように構成したが、撮影した「電子ズーム画角」とは異なる「電子ズーム画角」で記録した方が、好ましい画角の映像になるケースも多くある。
【００５３】
そこで本実施例２では、ユーザーが設定したフレームレートに応じて、複数の画角の動画を記録することで、「全画面画角」と「電子ズーム画角」だけでなく、予め定められた電子ズーム倍率の「中間電子ズーム画角」の動画も同時に記録できる撮像装置について説明する。予め定められた電子ズーム倍率は、動画記録中は変更不可能である。
【００５４】
実施例２が実施例１と異なる構成は、マスター画像処理部１１３の代わりに第１の変倍処理手段であるマスター変倍処理部１１５が設けられている点である。マスター変倍処理部１１５は、マスターメモリ１１２から読み出される画像信号に対して、色処理、ホワイトバランス、ガンマ補正などの処理を施して、ＹＣｒＣｂの輝度と色差信号に変換する。また、マスター変倍処理部１１５は、全画面画角の画像処理を施し、「マスター側記録画像」としてマスターメモリ１１２に書き込む。さらに、マスター変倍処理部１１５は、予め定められた電子ズームの倍率（５倍）に応じて、記録媒体１２９に記録される画像サイズに合わせた変倍処理を施し、「マスター側記録画像」をマスターメモリ１１２に書き込む。
【００５５】
なお、本実施例２での撮像装置１００の変倍処理部１１５以外の構成は、実施例１の構成と同様であるため説明を省略する。なお、スレーブ変倍処理処置１２３が第２の変倍処理手段である。
【００５６】
図６は、本実施例２での撮像装置１００における、動画記録モードの動作内容を表した図である。本実施例２ではエリアセンサ１０２から、６０ｆｐｓのフレームレートで画像データを読み出し、動画記録モードとしては「１９２０×１０８０  ６０ｆｐｓ」と、「１９２０×１０８０  ３０ｆｐｓ」が選択可能であるとする。後者を選択した場合、センサ読み出しフレームレートは、記録媒体１２９に記録される動画のフレームレートより高速となる。記録する動画のフレームレートは、センサ読み出しフレームレートの１／２に限らず、整数分の１であればよい。
【００５７】
いま、ユーザーが動画記録モードとして「１９２０×１０８０  ３０ｆｐｓ」を選択した場合に、マスター部１１０とスレーブ部１２０では、６０ｆｐｓで入力される画像データに対して、１フレームおきに画角を変更してそれぞれ２種類の画角の動画を生成する。この動作を説明したのが図６である。
【００５８】
マスター部１１０では、「全画面画角」と「×５電子ズーム画角」のフレームレート３０ｆｐｓ動画が生成され、スレーブ部１２０では、「実際の電子ズーム画角」と「×１０電子ズーム画角」のフレームレート３０ｆｐｓの動画が生成される。１０倍の電子ズーム倍率は予め定められている。
【００５９】
なお、ユーザーが動画記録モードとして「１９２０×１０８０  ６０ｆｐｓ」を選択している場合は、すでに実施例１で説明したように、マスター部１１０では「１９２０×１０８０  ６０ｆｐｓ  全画面」の動画を生成し、スレーブ部１２０では「１９２０×１０８０  ６０ｆｐｓ  実際の画角」の動画が生成される。
【００６０】
図７において、実線矩形の中央の数字は、対応する露光番号を示していて、番号前の「Ｍ」はマスター部、「Ｓ」はスレーブ部を表している。また、数字の後の「−Ｄ」は表示画像、「−Ｒ」は記録画像であることを示している。
【００６１】
さて、露光番号２のタイミングで動画記録が開始されると、露光番号３で露光された画像データから動画記録されることになる（図８（Ａ））。
【００６２】
マスター部１１０は、露光番号３で露光された画像データＭ３からマスターメモリ１１２への取り込みを開始し、マスター変倍処理部１１５にて画像処理を行い、「全画面画角」の「マスター側記録画像  Ｍ３−Ｒ」をマスターメモリ１１２へ書き込む（図８（Ｂ））。
【００６３】
マスター部１１０は、続いて入力される露光番号４で露光された画像データＭ４に対して、マスター変倍処理部１１５にて画像処理を行った後、電子ズーム５倍相当の変倍処理を行い、「×５倍マスター側記録画像  Ｍ４−Ｒ」をマスターメモリ１１２へ書き込む。図７の縦ハッチングで示された矩形（Ｍ４−Ｒ）が「×５倍の電子ズーム画角」のフレームを表している（図８（Ｃ））。
【００６４】
マスター部１１０は、全画面画角のマスター側記録画像と、マスター側×５倍記録画像を交互に生成し、それぞれの画角ごとの動画ファイルを生成する。
【００６５】
スレーブ部１２０は、露光番号３で露光された画像データＳ３を、スレーブ変倍処理部１２３にて画像処理を行い、「全画面画角」の「スレーブ表示画像  Ｓ３−Ｄ」と「スレーブ側記録画像  Ｓ３−Ｒ」をスレーブメモリ１２２へ書き込む（図８（Ｄ）と図８（Ｅ））。
【００６６】
次に、露光番号４のタイミングで電子ズーム操作が行われると、露光番号４で露光された画像データから電子ズームを適用することになる。
【００６７】
スレーブ部１２０は、露光番号４で露光された画像データＳ４を、スレーブ変倍処理部１２３にて画像処理を行った後、ユーザーにより指定された電子ズームの倍率に応じた変倍処理を行い、「電子ズーム画角」の「スレーブ表示画像  Ｓ４−Ｄ」と「スレーブ側記録画像  Ｓ４−Ｒ」をスレーブメモリ１２２へ書き込む。その後も、電子ズーム中は指定された電子ズームの倍率に応じて変倍処理を行う。
【００６８】
また、スレーブ部１２０は、露光番号５で露光された画像データＳ５を、スレーブ変倍処理部１２３にて画像処理を行った後、電子ズーム１０倍相当の変倍処理を行い、「スレーブ側×１０倍記録画像  Ｓ５−Ｒ」をスレーブメモリ１２２へ書き込む。
【００６９】
図７の斜ハッチングで示された矩形（Ｓ４−Ｄ、Ｓ６−Ｄと、Ｓ４−Ｒ、Ｓ６−Ｒ）が、「電子ズーム画角」のフレームを表していて（図８（Ｆ）と図８（Ｇ））、横ハッチングで示された矩形（Ｓ５−Ｒ）が「×１０倍の電子ズーム画角」のフレームを表している（図８（Ｈ））。
【００７０】
スレーブ部１２０は、ユーザー操作に応じた電子ズーム画角の画像データと、電子ズーム×１０倍相当の画像データを交互に生成し、それぞれの画角ごとの動画ファイルを生成する。
【００７１】
その後、「マスター側記録画像」、「スレーブ側記録画像」ともに、それぞれ圧縮処理部１１４，１２４で「マスター側圧縮画像」、「スレーブ側圧縮画像」に処理される。
【００７２】
「マスター側圧縮画像」は、マスター制御部１１１により、所定のタイミングで読み出され、制御部間通信バス１４０を介して、スレーブメモリ１２２に転送される。
【００７３】
スレーブ制御部１２１は、「マスター側圧縮画像」、「スレーブ側圧縮画像」のそれぞれを、記録回路１２８を介して、記録媒体１２９へ書き込む。
【００７４】
本実施例２によれば、電子ズームを用いて動画記録を行った場合でも、同時に電子ズームを施さない「全画面画角」の動画と、実際の画角以外のズーム倍率の動画を記録するので、ズーム画角外のシーンの記録や、より良好な画角の動画を記録することが可能になる。
【００７５】
以上、本発明の好ましい実施例について説明したが、本発明はこれらの実施例に限定されず、その要旨の範囲内で種々の変形及び変更が可能である。
【符号の説明】
【００７６】
１０２  エリアセンサ
１１１  マスター制御部
１１３  マスター画像処理部
１１５  マスター変倍処理部
１２１  スレーブ制御部
１２３  スレーブ変倍処理部
１２９  記録媒体
【図１】
2012124624.tif 000003
【図２】
2012124624.tif 000004
【図３】
2012124624.tif 000005
【図４】
2012124624.tif 000006
【図５】
2012124624.tif 000007
【図６】
2012124624.tif 000008
【図７】
2012124624.tif 000009
【図８】
2012124624.tif 000010